【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
３次元バーコードに埋め込まれた情報を含む３次元物体を印刷する方法において、
プロセッサにより、前記３次元バーコードに埋め込まれる情報を受信することと、
前記プロセッサにより、前記受信した情報を公開情報及び非公開情報にソートすることと、
前記プロセッサにより、ｚ次元において少なくとも１つのシンボル文字を含み、前記非公開情報がｚ方向において前記少なくとも１つのシンボル文字に埋め込まれるバーコードシンボルを判定することと、
前記プロセッサにより、前記バーコードシンボルにしたがって前記３次元バーコードに前記受信した情報を埋め込む前記３次元バーコードを３次元印刷装置に印刷させるビルドシーケンスを生成することと、
３次元印刷装置により、前記ｚ次元に表示されることになる前記シンボルの各シンボル文字が前記３次元物体における前記ｚ方向の物理的表現として印刷されるように、前記３次元物体を印刷するために前記ビルドシーケンスを使用することとを備える、方法。
【請求項２】
前記公開情報が、部品番号、部品識別情報、在庫情報、ユーザマニュアル、安全情報又はライセンス情報のうちの少なくとも１つを含み、
本方法がまた、前記３次元印刷装置により、前記物体の表面上の２次元のシンボル文字として前記公開情報を印刷することを含む、請求項１に記載の方法。
【請求項３】
前記非公開情報が、物体の印刷に関する情報、物体の部品の印刷に関する情報、二次製造情報又は物体の製造において部品の順序を定義する情報のうちの少なくとも１つを含む、請求項１に記載の方法。
【請求項４】
さらに、前記３次元バーコード内の前記バーコードシンボルのうちの少なくとも１つのコピーを符号化することを備える、請求項１に記載の方法。
【請求項５】
さらに、前記３次元バーコードの外部位置に前記バーコードシンボルのうちの少なくとも１つのコピーを保存することと、
前記３次元バーコード内の位置に少なくとも１つのリンクを符号化することとを備える、請求項１に記載の方法。
【請求項６】
前記情報を受信することが、複数のバー及び複数のスペースを含む１次元バーコードを受信することを含み、
前記バーコードシンボルを判定することが、第１の高さ表現に前記バーを変換し且つ第２の高さ表現に前記スペースを変換することを含み、
前記ビルドシーケンスを生成することが、第１の高さ及び第２の高さが人間の肉眼によって知覚不可能であるように、前記第１の高さ表現に対応する前記第１の高さで前記バーを印刷し且つ前記第２の高さ表現に対応する前記第２の高さで前記スペースを印刷するために単一色を使用するための命令を生成することを含む、請求項１に記載の方法。
【請求項７】
前記情報を受信することが、補足データのセットとともに複数のバー及び複数のスペースを含む１次元バーコードを受信することを含み、
前記バーコードシンボルを判定することが、第１の高さ表現に前記バーを変換し、第２の高さ表現に前記スペースを変換し、色表現に前記補足データを変換することを含み、
前記ビルドシーケンスを生成することが、第１の色を使用して前記第１の高さ表現に対応する第１の高さで前記バーを印刷し且つ前記第２の高さ表現に対応する第２の高さで前記スペースを印刷するために命令を生成することと、前記色表現を表すために第２の色で前記バー又は前記スペースの少なくとも一部を増強することを含む、請求項１に記載の方法。
【請求項８】
前記情報を受信することが、複数の第１の画素と、複数の第２の画素とを含む２次元バーコードを受信することを含み、前記第１の画素が前記第２の画素と異なる色を呈し、
前記バーコードシンボルを判定することが、第１の高さ表現に前記第１の画素を変換し、第２の高さ表現に前記第２の画素を変換することを含み、
前記ビルドシーケンスを生成することが、第１の高さ及び第２の高さが人間の肉眼によって知覚不可能であるように、前記第１の高さ表現に対応する前記第１の高さで前記第１の画素を印刷し且つ前記第２の高さ表現に対応する前記第２の高さで前記第２の画素を印刷するために単一色を使用するための命令を生成することを含む、請求項１に記載の方法。
【請求項９】
前記情報を受信することが、複数の第１の画素と、複数の第２の画素とを含む２次元バーコードを受信し、補足データのセットも受信することを含み、前記第１の画素が前記第２の画素と異なる色を呈し、
前記バーコードシンボルを判定することが、第１の高さ表現に前記第１の画素を変換し、第２の高さ表現に前記第２の画素を変換し、色表現に前記補足データを変換することを含み、
前記ビルドシーケンスを生成することが、第１の色を使用して前記第１の高さ表現に対応する第１の高さで前記第１の画素を印刷し且つ前記第２の高さ表現に対応する第２の高さで前記第２の画素を印刷するために命令を生成することと、前記色表現を表すために第２の色で前記第１の画素又は前記第２の画素の少なくとも一部を増強することを含む、請求項１に記載の方法。
【請求項１０】
３次元バーコードに埋め込まれた情報を含む３次元物体を印刷するシステムにおいて、
３次元印刷装置と、
プロセッサと、
前記プロセッサに、
３次元バーコードに埋め込まれた情報を受信させ、
前記受信した情報を公開情報及び非公開情報にソートさせ、
ｚ次元において少なくとも１つのシンボル文字を含み、前記非公開情報がｚ方向において前記少なくとも１つのシンボル文字に埋め込まれるバーコードシンボルを判定させ、
前記バーコードシンボルにしたがって前記３次元バーコードに前記受信した情報を埋め込む前記３次元バーコードを前記３次元印刷装置に印刷させるビルドシーケンスを生成させ、
前記ｚ次元に表示されることになる前記シンボルの各シンボル文字が前記３次元物体における前記ｚ方向の物理的表現として印刷され、且つ、前記公開情報が前記物体の表面上の２次元のシンボル文字として印刷されるように、前記３次元物体を印刷するために前記ビルドシーケンスを前記３次元印刷装置に使用させるように構成されたプログラミング命令を含むメモリ装置とを備える、システム。
【請求項１１】
さらに、前記プロセッサに、前記３次元バーコード内の前記バーコードシンボルのうちの少なくとも１つのコピーを符号化させるように構成された追加のプログラミング命令を含む、請求項１０に記載のシステム。
【請求項１２】
さらに、前記プロセッサに、
前記３次元バーコードの外部位置に前記バーコードシンボルのうちの少なくとも１つのコピーを保存させ、
前記３次元バーコード内の位置に少なくとも１つのリンクを符号化させるように構成された追加のプログラミング命令を含む、請求項１０に記載のシステム。
【請求項１３】
前記情報を受信するための前記命令が、複数のバー及び複数のスペースを含む１次元バーコードを受信するための命令を含み、
前記バーコードシンボルを判定するための前記命令が、第１の高さ表現に前記バーを変換し且つ第２の高さ表現に前記スペースを変換するための命令を含み、
前記ビルドシーケンスを生成するための前記命令が、第１の高さ及び第２の高さが人間の肉眼によって知覚不可能であるように、前記第１の高さ表現に対応する前記第１の高さで前記バーを印刷し且つ前記第２の高さ表現に対応する前記第２の高さで前記スペースを印刷するために単一色を使用するための命令を生成するための命令を含む、請求項１０に記載のシステム。
【請求項１４】
前記情報を受信するための前記命令が、補足データのセットとともに複数のバー及び複数のスペースを含む１次元バーコードを受信するための命令を含み、
前記バーコードシンボルを判定するための前記命令が、第１の高さ表現に前記バーを変換し、第２の高さ表現に前記スペースを変換し、色表現に前記補足データを変換するための命令を含み、
前記ビルドシーケンスを生成するための前記命令が、第１の色を使用して前記第１の高さ表現に対応する第１の高さで前記バーを印刷し且つ前記第２の高さ表現に対応する第２の高さで前記スペースを印刷するために命令を生成し、前記色表現を表すために第２の色で前記バー又は前記スペースの少なくとも一部を増強するための命令を含む、請求項１０に記載のシステム。
【請求項１５】
前記情報を受信するための前記命令が、複数の第１の画素と、複数の第２の画素とを含む２次元バーコードを受信するための命令を含み、前記第１の画素が前記第２の画素と異なる色を呈し、
前記バーコードシンボルを判定するための前記命令が、第１の高さ表現に前記第１の画素を変換し、第２の高さ表現に前記第２の画素を変換するための命令を含み、
前記ビルドシーケンスを生成するための前記命令が、第１の高さ及び第２の高さが人間の肉眼によって知覚不可能であるように、前記第１の高さ表現に対応する前記第１の高さで前記第１の画素を印刷し且つ前記第２の高さ表現に対応する前記第２の高さで前記第２の画素を印刷するために単一色を使用するための命令を生成するための命令を含む、請求項１０に記載のシステム。
【請求項１６】
前記情報を受信するための前記命令が、複数の第１の画素と、複数の第２の画素とを含む２次元バーコードを受信し、補足データのセットも受信するための命令を含み、前記第１の画素が前記第２の画素と異なる色を呈し、
前記バーコードシンボルを判定するための前記命令が、第１の高さ表現に前記第１の画素を変換し、第２の高さ表現に前記第２の画素を変換し、色表現に前記補足データを変換するための命令を含み、
前記ビルドシーケンスを生成するための前記命令が、第１の色を使用して前記第１の高さ表現に対応する第１の高さで前記第１の画素を印刷し且つ前記第２の高さ表現に対応する第２の高さで前記第２の画素を印刷するために命令を生成し、前記色表現を表すために第２の色で前記第１の画素又は前記第２の画素の少なくとも一部を増強するための命令を含む、請求項１０に記載のシステム。
【請求項１７】
３次元バーコードに埋め込まれた情報を含む３次元物体を印刷する方法において、
プロセッサにより、前記３次元バーコードに埋め込まれた情報を受信することと、
前記プロセッサにより、ｚ次元において少なくとも１つのシンボル文字を含むバーコードシンボルを判定することと、
前記プロセッサにより、前記バーコードシンボルにしたがって前記３次元バーコードに前記受信した情報を埋め込む前記３次元バーコードを３次元印刷装置に印刷させるビルドシーケンスを生成することと、
３次元印刷装置により、
前記ｚ次元に表示されることになる前記シンボルの各シンボル文字が前記３次元物体における前記ｚ方向の物理的表現として印刷されるように、前記３次元物体を印刷するために前記ビルドシーケンスを使用することと、
前記３次元バーコード内の前記バーコードシンボルのうちの少なくとも１つのコピーを符号化することとを備える、方法。
【請求項１８】
さらに、前記３次元バーコードの外部位置に前記バーコードシンボルのうちの少なくとも１つのコピーを保存することと、
前記３次元バーコード内の位置に少なくとも１つのリンクを符号化することとを備える、請求項１７に記載の方法。
【請求項１９】
前記情報を受信することが、複数のバー及び複数のスペースを含む１次元バーコードを受信することを含み、
前記バーコードシンボルを判定することが、第１の高さ表現に前記バーを変換し且つ第２の高さ表現に前記スペースを変換することを含み、
前記ビルドシーケンスを生成することが、第１の高さ及び第２の高さが人間の肉眼によって知覚不可能であるように、前記第１の高さ表現に対応する前記第１の高さで前記バーを印刷し且つ前記第２の高さ表現に対応する前記第２の高さで前記スペースを印刷するために単一色を使用するための命令を生成することを含む、請求項１７に記載の方法。
【請求項２０】
前記情報を受信することが、補足データのセットとともに複数のバー及び複数のスペースを含む１次元バーコードを受信することを含み、
前記バーコードシンボルを判定することが、第１の高さ表現に前記バーを変換し、第２の高さ表現に前記スペースを変換し、色表現に前記補足データを変換することを含み、
前記ビルドシーケンスを生成することが、第１の色を使用して前記第１の高さ表現に対応する第１の高さで前記バーを印刷し且つ前記第２の高さ表現に対応する第２の高さで前記スペースを印刷するために命令を生成することと、前記色表現を表すために第２の色で前記バー又は前記スペースの少なくとも一部を増強することを含む、請求項１７に記載の方法。
【請求項２１】
前記情報を受信することが、複数の第１の画素と、複数の第２の画素とを含む２次元バーコードを受信することを含み、前記第１の画素が前記第２の画素と異なる色を呈し、
前記バーコードシンボルを判定することが、第１の高さ表現に前記第１の画素を変換し、第２の高さ表現に前記第２の画素を変換することを含み、
前記ビルドシーケンスを生成することが、第１の高さ及び第２の高さが人間の肉眼によって知覚不可能であるように、前記第１の高さ表現に対応する前記第１の高さで前記第１の画素を印刷し且つ前記第２の高さ表現に対応する前記第２の高さで前記第２の画素を印刷するために単一色を使用するための命令を生成することを含む、請求項１７に記載の方法。
【請求項２２】
前記情報を受信することが、複数の第１の画素と、複数の第２の画素とを含む２次元バーコードを受信し、補足データのセットも受信することを含み、前記第１の画素が前記第２の画素と異なる色を呈し、
前記バーコードシンボルを判定することが、第１の高さ表現に前記第１の画素を変換し、第２の高さ表現に前記第２の画素を変換し、色表現に前記補足データを変換することを含み、
前記ビルドシーケンスを生成することが、第１の色を使用して前記第１の高さ表現に対応する第１の高さで前記第１の画素を印刷し且つ前記第２の高さ表現に対応する第２の高さで前記第２の画素を印刷するために命令を生成することと、前記色表現を表すために第２の色で前記第１の画素又は前記第２の画素の少なくとも一部を増強することを含む、請求項１７に記載の方法。
【請求項２３】
３次元バーコードに埋め込まれた情報を含む３次元物体を印刷する方法において、
プロセッサにより、前記３次元バーコードに埋め込まれた情報を受信することと、
前記プロセッサにより、ｚ次元において少なくとも１つのシンボル文字を含むバーコードシンボルを判定することと、
前記プロセッサにより、前記バーコードシンボルにしたがって前記３次元バーコードに前記受信した情報を埋め込む前記３次元バーコードを３次元印刷装置に印刷させるビルドシーケンスを生成することと、
前記３次元バーコードの外部位置に前記バーコードシンボルのうちの少なくとも１つのコピーを保存することと、
３次元印刷装置により、
前記ｚ次元に表示されることになる前記シンボルの各シンボル文字が前記３次元物体における前記ｚ方向の物理的表現として印刷されるように、前記３次元物体を印刷するために前記ビルドシーケンスを使用することと、
前記３次元バーコード内の位置に少なくとも１つのリンクを符号化することとを備える、方法。
【請求項２４】
前記情報を受信することが、複数のバー及び複数のスペースを含む１次元バーコードを受信することを含み、
前記バーコードシンボルを判定することが、第１の高さ表現に前記バーを変換し且つ第２の高さ表現に前記スペースを変換することを含み、
前記ビルドシーケンスを生成することが、第１の高さ及び第２の高さが人間の肉眼によって知覚不可能であるように、前記第１の高さ表現に対応する前記第１の高さで前記バーを印刷し且つ前記第２の高さ表現に対応する前記第２の高さで前記スペースを印刷するために単一色を使用するための命令を生成することを含む、請求項２３に記載の方法。
【請求項２５】
前記情報を受信することが、補足データのセットとともに複数のバー及び複数のスペースを含む１次元バーコードを受信することを含み、
前記バーコードシンボルを判定することが、第１の高さ表現に前記バーを変換し、第２の高さ表現に前記スペースを変換し、色表現に前記補足データを変換することを含み、
前記ビルドシーケンスを生成することが、第１の色を使用して前記第１の高さ表現に対応する第１の高さで前記バーを印刷し且つ前記第２の高さ表現に対応する第２の高さで前記スペースを印刷するために命令を生成することと、前記色表現を表すために第２の色で前記バー又は前記スペースの少なくとも一部を増強することを含む、請求項２３に記載の方法。
【請求項２６】
前記情報を受信することが、複数の第１の画素と、複数の第２の画素とを含む２次元バーコードを受信することを含み、前記第１の画素が前記第２の画素と異なる色を呈し、
前記バーコードシンボルを判定することが、第１の高さ表現に前記第１の画素を変換し、第２の高さ表現に前記第２の画素を変換することを含み、
前記ビルドシーケンスを生成することが、第１の高さ及び第２の高さが人間の肉眼によって知覚不可能であるように、前記第１の高さ表現に対応する前記第１の高さで前記第１の画素を印刷し且つ前記第２の高さ表現に対応する前記第２の高さで前記第２の画素を印刷するために単一色を使用するための命令を生成することを含む、請求項２３に記載の方法。
【請求項２７】
前記情報を受信することが、複数の第１の画素と、複数の第２の画素とを含む２次元バーコードを受信し、補足データのセットも受信することを含み、前記第１の画素が前記第２の画素と異なる色を呈し、
前記バーコードシンボルを判定することが、第１の高さ表現に前記第１の画素を変換し、第２の高さ表現に前記第２の画素を変換し、色表現に前記補足データを変換することを含み、
前記ビルドシーケンスを生成することが、第１の色を使用して前記第１の高さ表現に対応する第１の高さで前記第１の画素を印刷し且つ前記第２の高さ表現に対応する第２の高さで前記第２の画素を印刷するために命令を生成することと、前記色表現を表すために第２の色で前記第１の画素又は前記第２の画素の少なくとも一部を増強することを含む、請求項２３に記載の方法。
【請求項２８】
３次元バーコードに埋め込まれた情報を含む３次元物体を印刷する方法において、
プロセッサにより、前記３次元バーコードに埋め込まれた情報を受信することと、
前記プロセッサにより、ｚ次元において少なくとも１つのシンボル文字を含むバーコードシンボルを判定することと、
前記プロセッサにより、前記バーコードシンボルにしたがって前記３次元バーコードに前記受信した情報を埋め込む前記３次元バーコードを３次元印刷装置に印刷させるビルドシーケンスを生成することと、
３次元印刷装置により、前記ｚ次元に表示されることになる前記シンボルの各シンボル文字が前記３次元物体における前記ｚ方向の物理的表現として印刷されるように、前記３次元物体を印刷するために前記ビルドシーケンスを使用することとを備え、
前記情報を受信することが、複数のバー及び複数のスペースを含む１次元バーコードを受信することを含み、
前記バーコードシンボルを判定することが、第１の高さ表現に前記バーを変換し且つ第２の高さ表現に前記スペースを変換することを含み、
前記ビルドシーケンスを生成することが、第１の高さ及び第２の高さが人間の肉眼によって知覚不可能であるように、前記第１の高さ表現に対応する前記第１の高さで前記バーを印刷し且つ前記第２の高さ表現に対応する前記第２の高さで前記スペースを印刷するために単一色を使用するための命令を生成することを含む、方法。
【請求項２９】
３次元バーコードに埋め込まれた情報を含む３次元物体を印刷する方法において、
プロセッサにより、前記３次元バーコードに埋め込まれた情報を受信することと、
前記プロセッサにより、ｚ次元において少なくとも１つのシンボル文字を含むバーコードシンボルを判定することと、
前記プロセッサにより、前記バーコードシンボルにしたがって前記３次元バーコードに前記受信した情報を埋め込む前記３次元バーコードを３次元印刷装置に印刷させるビルドシーケンスを生成することと、
３次元印刷装置により、前記ｚ次元に表示されることになる前記シンボルの各シンボル文字が前記３次元物体における前記ｚ方向の物理的表現として印刷されるように、前記３次元物体を印刷するために前記ビルドシーケンスを使用することとを備え、
前記情報を受信することが、補足データのセットとともに複数のバー及び複数のスペースを含む１次元バーコードを受信することを含み、
前記バーコードシンボルを判定することが、第１の高さ表現に前記バーを変換し、第２の高さ表現に前記スペースを変換し、色表現に前記補足データを変換することを含み、
前記ビルドシーケンスを生成することが、第１の色を使用して前記第１の高さ表現に対応する第１の高さで前記バーを印刷し且つ前記第２の高さ表現に対応する第２の高さで前記スペースを印刷するために命令を生成することと、前記色表現を表すために第２の色で前記バー又は前記スペースの少なくとも一部を増強することを含む、方法。
【請求項３０】
３次元バーコードに埋め込まれた情報を含む３次元物体を印刷する方法において、
プロセッサにより、前記３次元バーコードに埋め込まれた情報を受信することと、
前記プロセッサにより、ｚ次元において少なくとも１つのシンボル文字を含むバーコードシンボルを判定することと、
前記プロセッサにより、前記バーコードシンボルにしたがって前記３次元バーコードに前記受信した情報を埋め込む前記３次元バーコードを３次元印刷装置に印刷させるビルドシーケンスを生成することと、
３次元印刷装置により、前記ｚ次元に表示されることになる前記シンボルの各シンボル文字が前記３次元物体における前記ｚ方向の物理的表現として印刷されるように、前記３次元物体を印刷するために前記ビルドシーケンスを使用することとを備え、
前記情報を受信することが、複数の第１の画素と、複数の第２の画素とを含む２次元バーコードを受信することを含み、前記第１の画素が前記第２の画素と異なる色を呈し、
前記バーコードシンボルを判定することが、第１の高さ表現に前記第１の画素を変換し、第２の高さ表現に前記第２の画素を変換することを含み、
前記ビルドシーケンスを生成することが、第１の高さ及び第２の高さが人間の肉眼によって知覚不可能であるように、前記第１の高さ表現に対応する前記第１の高さで前記第１の画素を印刷し且つ前記第２の高さ表現に対応する前記第２の高さで前記第２の画素を印刷するために単一色を使用するための命令を生成することを含む、方法。
【請求項３１】
３次元バーコードに埋め込まれた情報を含む３次元物体を印刷する方法において、
プロセッサにより、前記３次元バーコードに埋め込まれた情報を受信することと、
前記プロセッサにより、ｚ次元において少なくとも１つのシンボル文字を含むバーコードシンボルを判定することと、
前記プロセッサにより、前記バーコードシンボルにしたがって前記３次元バーコードに前記受信した情報を埋め込む前記３次元バーコードを３次元印刷装置に印刷させるビルドシーケンスを生成することと、
３次元印刷装置により、前記ｚ次元に表示されることになる前記シンボルの各シンボル文字が前記３次元物体における前記ｚ方向の物理的表現として印刷されるように、前記３次元物体を印刷するために前記ビルドシーケンスを使用することとを備え、
前記情報を受信することが、複数の第１の画素と、複数の第２の画素とを含む２次元バーコードを受信し、補足データのセットも受信することを含み、前記第１の画素が前記第２の画素と異なる色を呈し、
前記バーコードシンボルを判定することが、第１の高さ表現に前記第１の画素を変換し、第２の高さ表現に前記第２の画素を変換し、色表現に前記補足データを変換することを含み、
前記ビルドシーケンスを生成することが、第１の色を使用して前記第１の高さ表現に対応する第１の高さで前記第１の画素を印刷し且つ前記第２の高さ表現に対応する第２の高さで前記第２の画素を印刷するために命令を生成することと、前記色表現を表すために第２の色で前記第１の画素又は前記第２の画素の少なくとも一部を増強することを含む、方法。
【請求項３２】
３次元バーコードに埋め込まれた情報を含む３次元物体を印刷するシステムにおいて、
３次元印刷装置と、
プロセッサと、
前記プロセッサに、
３次元バーコードに埋め込まれた情報を受信させ、
ｚ次元において少なくとも１つのシンボル文字を含むバーコードシンボルを判定させ、
前記３次元バーコード内の前記バーコードシンボルのうちの少なくとも１つのコピーを符号化させ、
前記バーコードシンボルにしたがって前記３次元バーコードに前記受信した情報を埋め込む前記３次元バーコードを前記３次元印刷装置に印刷させるビルドシーケンスを生成させ、
前記ｚ次元に表示されることになる前記シンボルの各シンボル文字が前記３次元物体における前記ｚ方向の物理的表現として印刷されるように、前記３次元物体を印刷するために前記ビルドシーケンスを前記３次元印刷装置に使用させるように構成されたプログラミング命令を含むメモリ装置とを備える、システム。
【請求項３３】
さらに、前記プロセッサに、
前記３次元バーコードの外部位置に前記バーコードシンボルのうちの少なくとも１つのコピーを保存させ、
前記３次元バーコード内の位置に少なくとも１つのリンクを符号化させるように構成された追加のプログラミング命令を含む、請求項３２に記載のシステム。
【請求項３４】
前記情報を受信するための前記命令が、複数のバー及び複数のスペースを含む１次元バーコードを受信するための命令を含み、
前記バーコードシンボルを判定するための前記命令が、第１の高さ表現に前記バーを変換し且つ第２の高さ表現に前記スペースを変換するための命令を含み、
前記ビルドシーケンスを生成するための前記命令が、第１の高さ及び第２の高さが人間の肉眼によって知覚不可能であるように、前記第１の高さ表現に対応する前記第１の高さで前記バーを印刷し且つ前記第２の高さ表現に対応する前記第２の高さで前記スペースを印刷するために単一色を使用するための命令を生成するための命令を含む、請求項３２に記載のシステム。
【請求項３５】
前記情報を受信するための前記命令が、補足データのセットとともに複数のバー及び複数のスペースを含む１次元バーコードを受信するための命令を含み、
前記バーコードシンボルを判定するための前記命令が、第１の高さ表現に前記バーを変換し、第２の高さ表現に前記スペースを変換し、色表現に前記補足データを変換するための命令を含み、
前記ビルドシーケンスを生成するための前記命令が、第１の色を使用して前記第１の高さ表現に対応する第１の高さで前記バーを印刷し且つ前記第２の高さ表現に対応する第２の高さで前記スペースを印刷するために命令を生成し、前記色表現を表すために第２の色で前記バー又は前記スペースの少なくとも一部を増強するための命令を含む、請求項３２に記載のシステム。
【請求項３６】
前記情報を受信するための前記命令が、複数の第１の画素と、複数の第２の画素とを含む２次元バーコードを受信するための命令を含み、前記第１の画素が前記第２の画素と異なる色を呈し、
前記バーコードシンボルを判定するための前記命令が、第１の高さ表現に前記第１の画素を変換し、第２の高さ表現に前記第２の画素を変換するための命令を含み、
前記ビルドシーケンスを生成するための前記命令が、第１の高さ及び第２の高さが人間の肉眼によって知覚不可能であるように、前記第１の高さ表現に対応する前記第１の高さで前記第１の画素を印刷し且つ前記第２の高さ表現に対応する前記第２の高さで前記第２の画素を印刷するために単一色を使用するための命令を生成するための命令を含む、請求項３２に記載のシステム。
【請求項３７】
前記情報を受信するための前記命令が、複数の第１の画素と、複数の第２の画素とを含む２次元バーコードを受信し、補足データのセットも受信するための命令を含み、前記第１の画素が前記第２の画素と異なる色を呈し、
前記バーコードシンボルを判定するための前記命令が、第１の高さ表現に前記第１の画素を変換し、第２の高さ表現に前記第２の画素を変換し、色表現に前記補足データを変換するための命令を含み、
前記ビルドシーケンスを生成するための前記命令が、第１の色を使用して前記第１の高さ表現に対応する第１の高さで前記第１の画素を印刷し且つ前記第２の高さ表現に対応する第２の高さで前記第２の画素を印刷するために命令を生成し、前記色表現を表すために第２の色で前記第１の画素又は前記第２の画素の少なくとも一部を増強するための命令を含む、請求項３２に記載のシステム。
【請求項３８】
３次元バーコードに埋め込まれた情報を含む３次元物体を印刷するシステムにおいて、
３次元印刷装置と、
プロセッサと、
前記プロセッサに、
３次元バーコードに埋め込まれた情報を受信させ、
ｚ次元において少なくとも１つのシンボル文字を含むバーコードシンボルを判定させ、
前記３次元バーコードの外部位置に前記バーコードシンボルのうちの少なくとも１つのコピーを保存させ、
前記３次元バーコード内の位置に少なくとも１つのリンクを符号化させ、
前記バーコードシンボルにしたがって前記３次元バーコードに前記受信した情報を埋め込む前記３次元バーコードを前記３次元印刷装置に印刷させるビルドシーケンスを生成させ、
前記ｚ次元に表示されることになる前記シンボルの各シンボル文字が前記３次元物体における前記ｚ方向の物理的表現として印刷されるように、前記３次元物体を印刷するために前記ビルドシーケンスを前記３次元印刷装置に使用させるように構成されたプログラミング命令を含むメモリ装置とを備える、システム。
【請求項３９】
前記情報を受信するための前記命令が、複数のバー及び複数のスペースを含む１次元バーコードを受信するための命令を含み、
前記バーコードシンボルを判定するための前記命令が、第１の高さ表現に前記バーを変換し且つ第２の高さ表現に前記スペースを変換するための命令を含み、
前記ビルドシーケンスを生成するための前記命令が、第１の高さ及び第２の高さが人間の肉眼によって知覚不可能であるように、前記第１の高さ表現に対応する前記第１の高さで前記バーを印刷し且つ前記第２の高さ表現に対応する前記第２の高さで前記スペースを印刷するために単一色を使用するための命令を生成するための命令を含む、請求項３８に記載のシステム。
【請求項４０】
前記情報を受信するための前記命令が、補足データのセットとともに複数のバー及び複数のスペースを含む１次元バーコードを受信するための命令を含み、
前記バーコードシンボルを判定するための前記命令が、第１の高さ表現に前記バーを変換し、第２の高さ表現に前記スペースを変換し、色表現に前記補足データを変換するための命令を含み、
前記ビルドシーケンスを生成するための前記命令が、第１の色を使用して前記第１の高さ表現に対応する第１の高さで前記バーを印刷し且つ前記第２の高さ表現に対応する第２の高さで前記スペースを印刷するために命令を生成し、前記色表現を表すために第２の色で前記バー又は前記スペースの少なくとも一部を増強するための命令を含む、請求項３８に記載のシステム。
【請求項４１】
前記情報を受信するための前記命令が、複数の第１の画素と、複数の第２の画素とを含む２次元バーコードを受信するための命令を含み、前記第１の画素が前記第２の画素と異なる色を呈し、
前記バーコードシンボルを判定するための前記命令が、第１の高さ表現に前記第１の画素を変換し、第２の高さ表現に前記第２の画素を変換するための命令を含み、
前記ビルドシーケンスを生成するための前記命令が、第１の高さ及び第２の高さが人間の肉眼によって知覚不可能であるように、前記第１の高さ表現に対応する前記第１の高さで前記第１の画素を印刷し且つ前記第２の高さ表現に対応する前記第２の高さで前記第２の画素を印刷するために単一色を使用するための命令を生成するための命令を含む、請求項３８に記載のシステム。
【請求項４２】
前記情報を受信するための前記命令が、複数の第１の画素と、複数の第２の画素とを含む２次元バーコードを受信し、補足データのセットも受信するための命令を含み、前記第１の画素が前記第２の画素と異なる色を呈し、
前記バーコードシンボルを判定するための前記命令が、第１の高さ表現に前記第１の画素を変換し、第２の高さ表現に前記第２の画素を変換し、色表現に前記補足データを変換するための命令を含み、
前記ビルドシーケンスを生成するための前記命令が、第１の色を使用して前記第１の高さ表現に対応する第１の高さで前記第１の画素を印刷し且つ前記第２の高さ表現に対応する第２の高さで前記第２の画素を印刷するために命令を生成し、前記色表現を表すために第２の色で前記第１の画素又は前記第２の画素の少なくとも一部を増強するための命令を含む、請求項３８に記載のシステム。
【請求項４３】
３次元バーコードに埋め込まれた情報を含む３次元物体を印刷するシステムにおいて、
３次元印刷装置と、
プロセッサと、
前記プロセッサに、
３次元バーコードに埋め込まれた情報を受信させ、
ｚ次元において少なくとも１つのシンボル文字を含むバーコードシンボルを判定させ、
前記バーコードシンボルにしたがって前記３次元バーコードに前記受信した情報を埋め込む前記３次元バーコードを前記３次元印刷装置に印刷させるビルドシーケンスを生成させ、
前記ｚ次元に表示されることになる前記シンボルの各シンボル文字が前記３次元物体における前記ｚ方向の物理的表現として印刷されるように、前記３次元物体を印刷するために前記ビルドシーケンスを前記３次元印刷装置に使用させるように構成されたプログラミング命令を含むメモリ装置とを備え、
前記情報を受信するための前記命令が、複数のバー及び複数のスペースを含む１次元バーコードを受信するための命令を含み、
前記バーコードシンボルを判定するための前記命令が、第１の高さ表現に前記バーを変換し且つ第２の高さ表現に前記スペースを変換するための命令を含み、
前記ビルドシーケンスを生成するための前記命令が、第１の高さ及び第２の高さが人間の肉眼によって知覚不可能であるように、前記第１の高さ表現に対応する前記第１の高さで前記バーを印刷し且つ前記第２の高さ表現に対応する前記第２の高さで前記スペースを印刷するために単一色を使用するための命令を生成するための命令を含む、システム。
【請求項４４】
３次元バーコードに埋め込まれた情報を含む３次元物体を印刷するシステムにおいて、
３次元印刷装置と、
プロセッサと、
前記プロセッサに、
３次元バーコードに埋め込まれた情報を受信させ、
ｚ次元において少なくとも１つのシンボル文字を含むバーコードシンボルを判定させ、
前記バーコードシンボルにしたがって前記３次元バーコードに前記受信した情報を埋め込む前記３次元バーコードを前記３次元印刷装置に印刷させるビルドシーケンスを生成させ、
前記ｚ次元に表示されることになる前記シンボルの各シンボル文字が前記３次元物体における前記ｚ方向の物理的表現として印刷されるように、前記３次元物体を印刷するために前記ビルドシーケンスを前記３次元印刷装置に使用させるように構成されたプログラミング命令を含むメモリ装置とを備え、
前記情報を受信するための前記命令が、補足データのセットとともに複数のバー及び複数のスペースを含む１次元バーコードを受信するための命令を含み、
前記バーコードシンボルを判定するための前記命令が、第１の高さ表現に前記バーを変換し、第２の高さ表現に前記スペースを変換し、色表現に前記補足データを変換するための命令を含み、
前記ビルドシーケンスを生成するための前記命令が、第１の色を使用して前記第１の高さ表現に対応する第１の高さで前記バーを印刷し且つ前記第２の高さ表現に対応する第２の高さで前記スペースを印刷するために命令を生成し、前記色表現を表すために第２の色で前記バー又は前記スペースの少なくとも一部を増強するための命令を含む、システム。
【請求項４５】
３次元バーコードに埋め込まれた情報を含む３次元物体を印刷するシステムにおいて、
３次元印刷装置と、
プロセッサと、
前記プロセッサに、
３次元バーコードに埋め込まれた情報を受信させ、
ｚ次元において少なくとも１つのシンボル文字を含むバーコードシンボルを判定させ、
前記バーコードシンボルにしたがって前記３次元バーコードに前記受信した情報を埋め込む前記３次元バーコードを前記３次元印刷装置に印刷させるビルドシーケンスを生成させ、
前記ｚ次元に表示されることになる前記シンボルの各シンボル文字が前記３次元物体における前記ｚ方向の物理的表現として印刷されるように、前記３次元物体を印刷するために前記ビルドシーケンスを前記３次元印刷装置に使用させるように構成されたプログラミング命令を含むメモリ装置とを備え、
前記情報を受信するための前記命令が、複数の第１の画素と、複数の第２の画素とを含む２次元バーコードを受信するための命令を含み、前記第１の画素が前記第２の画素と異なる色を呈し、
前記バーコードシンボルを判定するための前記命令が、第１の高さ表現に前記第１の画素を変換し、第２の高さ表現に前記第２の画素を変換するための命令を含み、
前記ビルドシーケンスを生成するための前記命令が、第１の高さ及び第２の高さが人間の肉眼によって知覚不可能であるように、前記第１の高さ表現に対応する前記第１の高さで前記第１の画素を印刷し且つ前記第２の高さ表現に対応する前記第２の高さで前記第２の画素を印刷するために単一色を使用するための命令を生成するための命令を含む、システム。
【請求項４６】
３次元バーコードに埋め込まれた情報を含む３次元物体を印刷するシステムにおいて、
３次元印刷装置と、
プロセッサと、
前記プロセッサに、
３次元バーコードに埋め込まれた情報を受信させ、
ｚ次元において少なくとも１つのシンボル文字を含むバーコードシンボルを判定させ、
前記バーコードシンボルにしたがって前記３次元バーコードに前記受信した情報を埋め込む前記３次元バーコードを前記３次元印刷装置に印刷させるビルドシーケンスを生成させ、
前記ｚ次元に表示されることになる前記シンボルの各シンボル文字が前記３次元物体における前記ｚ方向の物理的表現として印刷されるように、前記３次元物体を印刷するために前記ビルドシーケンスを前記３次元印刷装置に使用させるように構成されたプログラミング命令を含むメモリ装置とを備え、
前記情報を受信するための前記命令が、複数の第１の画素と、複数の第２の画素とを含む２次元バーコードを受信し、補足データのセットも受信するための命令を含み、前記第１の画素が前記第２の画素と異なる色を呈し、
前記バーコードシンボルを判定するための前記命令が、第１の高さ表現に前記第１の画素を変換し、第２の高さ表現に前記第２の画素を変換し、色表現に前記補足データを変換するための命令を含み、
前記ビルドシーケンスを生成するための前記命令が、第１の色を使用して前記第１の高さ表現に対応する第１の高さで前記第１の画素を印刷し且つ前記第２の高さ表現に対応する第２の高さで前記第２の画素を印刷するために命令を生成し、前記色表現を表すために第２の色で前記第１の画素又は前記第２の画素の少なくとも一部を増強するための命令を含む、システム。